【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】  基部と、
縦方向長さおよび横方向幅を有する患者支持用デッキと、
前記患者支持用デッキを前記基部に連結するデッキ位置決めアセンブリとを備え、
前記患者支持用デッキは、前記デッキ位置決めアセンブリに関して縦方向移動すべく支持され、
前記デッキ位置決めアセンブリは、第一部分と、該第一部分に対して横方向に移動する第二部分とを有するアクチュエータを含み、且つ、
前記デッキ位置決めアセンブリは、前記第一部分に対する前記第二部分の横方向移動を、前記基部に対する前記患者支持用デッキの縦方向移動に変換すべく配置構成された伝動アセンブリを含む、
患者支持用装置。
【請求項２】  前記アクチュエータは線形アクチュエータであり且つ前記第二部分は前記第一部分に対して第一横方向軸心に沿って移動する、請求項１記載の患者支持用装置。
【請求項３】  前記線形アクチュエータは油圧シリンダであり、前記第一部分は前記油圧シリンダのハウジングであり、前記第二部分は前記油圧シリンダのピストン・ロッドである、請求項２記載の患者支持用装置。
【請求項４】  前記伝動アセンブリはボールナットおよび螺条付シャフトを含み、
前記ボールナットは前記線形アクチュエータの前記第二部材に連結され、
前記螺条付シャフトは第二横方向軸心の回りで回転すべく支持され、且つ、
前記ボールナットは、前記第二部材による該ボールナットの移動が前記螺条付シャフトの回転を引き起こす如く前記螺条付シャフトに連結される、請求項２記載の患者支持用装置。
【請求項５】  前記第二横方向軸心は前記第一横方向軸心の垂直上方に存すべく位置される、請求項４記載の患者支持用装置。
【請求項６】  前記伝動アセンブリはボールナットおよび螺条付シャフトを含み、
前記ボールナットは前記アクチュエータの前記第二部材に連結され、
前記螺条付シャフトは横方向軸心の回りで回転すべく支持され、且つ、
前記ボールナットは、前記第二部材による該ボールナットの移動が前記螺条付シャフトの回転を引き起こす如く前記螺条付シャフトに連結される、請求項１記載の患者支持用装置。
【請求項７】  前記伝動アセンブリは前記螺条付シャフトに連結されたピニオンと前記患者支持用デッキに連結されたラックとを更に含み、前記ピニオンは前記ラックに係合する、請求項６記載の患者支持用装置。
【請求項８】  当該患者支持用装置は、第一部材と、該第一部材に対して摺動する第二部材とを有するリニア軸受を更に備え、
前記第一部材は前記デッキ位置決めアセンブリに連結され且つ前記第二部材は前記ラックに連結される、請求項７記載の患者支持用装置。
【請求項９】  基部と、
縦方向長さおよび横方向幅を有する患者支持用デッキと、
前記患者支持用デッキにより支持されると共に上向きの患者支持面を有するマットレスと、
前記患者支持用デッキを前記基部に連結するデッキ位置決めアセンブリと、
シャフトに連結されると共に該シャフトを回転すべく起動可能な駆動器と
を備え、
前記患者支持用デッキおよび前記マットレスは前記デッキ位置決めアセンブリに関して縦方向移動すべく支持され、
前記デッキ位置決めアセンブリは、回転の横方向軸心を有するシャフトと、該シャフトに連結されたピニオンと、前記患者支持用デッキに連結されたラックとを含み、
前記ピニオンは、前記横方向軸心の回りで前記シャフトが回転すると前記患者支持用デッキおよび前記マットレスが前記基部に対して縦方向移動する如く前記ラックに係合し、
前記シャフトは螺条を含むべく形成され、
前記駆動器は、前記シャフトに沿って当該ボールナットを軸心移動すると前記シャフトが回転される様に前記螺条に係合して前記シャフト上に取付けられたボールナットを含み、
前記駆動器は、当該線形アクチュエータが起動されると前記シャフトに沿って前記ボールナットが軸心移動する如く前記ボールナットに連結された線形アクチュエータを含む、
患者支持用装置。
【請求項１０】  前記線形アクチュエータは油圧ピストン／シリンダ・アセンブリである、請求項９記載の患者支持用装置。
【請求項１１】  前記駆動器は前記線形アクチュエータを前記ボールナットに連結するキャリッジ・アセンブリを含み、
前記キャリッジ・アセンブリは前記線形アクチュエータと前記ボールナットとに連結されたプレートを含み、
前記キャリッジ・アセンブリは前記プレートに連結されたローラを含み、且つ、
前記デッキ位置決めアセンブリは前記ローラが受容されるスロットを有する軌道部材を含む、請求項９記載の患者支持用装置。
【請求項１２】  前記シャフトに沿って前記ボールナットを第一距離だけ軸心移動すると、前記患者支持用デッキおよびマットレスは前記第一距離の少なくとも２倍の第二距離だけ縦方向移動される如く、前記シャフトの前記螺条は配置構成され且つ前記ピニオンは寸法設定される、請求項９記載の患者支持用装置。
【請求項１３】 基部と、
縦方向長さおよび横方向幅を有する患者支持用デッキと、
前記患者支持用デッキにより支持されると共に上向きの患者支持面を有するマットレスと、
前記患者支持用デッキを前記基部に連結するデッキ位置決めアセンブリと、
シャフトに連結されると共に該シャフトを回転すべく起動可能な駆動器と
を備え、
前記患者支持用デッキおよび前記マットレスは前記デッキ位置決めアセンブリに関して縦方向移動すべく支持され、
前記デッキ位置決めアセンブリは、回転の横方向軸心を有するシャフトと、該シャフトに連結されたピニオンと、前記患者支持用デッキに連結されたラックとを含み、
前記ピニオンは、前記横方向軸心の回りで前記シャフトが回転すると前記患者支持用デッキおよび前記マットレスが前記基部に対して縦方向移動する如く前記ラックに係合し、
前記駆動器は前記シャフトの下方に位置される、
患者支持用装置。
【請求項１４】 基部と、
縦方向長さおよび横方向幅を有する患者支持用デッキと、
前記患者支持用デッキにより支持されると共に上向きの患者支持面を有するマットレスと、
前記患者支持用デッキを前記基部に連結するデッキ位置決めアセンブリと、
を備え、
前記患者支持用デッキおよび前記マットレスは前記デッキ位置決めアセンブリに関して縦方向移動すべく支持され、
前記デッキ位置決めアセンブリは、回転の横方向軸心を有するシャフトと、該シャフトに連結されたピニオンと、前記患者支持用デッキに連結されたラックとを含み、
前記ピニオンは、前記横方向軸心の回りで前記シャフトが回転すると前記患者支持用デッキおよび前記マットレスが前記基部に対して縦方向移動する如く前記ラックに係合し、
前記シャフトは螺条を含むべく形成され、
前記デッキ位置決めアセンブリは前記螺条と係合すべく前記シャフト上に取付けられたボールナットを含み、
前記シャフトに沿って前記ボールナットが軸心移動すると前記シャフトは回転され、
前記デッキ位置決めアセンブリは前記ボールナットに連結されたアクチュエータを含み、
前記アクチュエータは、シリンダと、前記横方向軸心に平行な軸心に沿って前記シリンダに対して伸張および縮動するピストン・ロッドとを含み、且つ、
前記シリンダに対して前記ピストン・ロッドが移動すると、前記ボールナットは前記シャフトに沿って軸心移動して、前記患者支持用デッキおよび前記マットレスの縦方向移動を生成する、
患者支持用装置。
【請求項１５】  前記患者支持用デッキは、頭部側端部および脚部側端部を有するシート区画と、前記シート区画の前記頭部側端部の近傍にて該シート区画に枢動運動のために連結された少なくとも一個の区画と、前記シート区画の前記脚部側端部の近傍にて該シート区画に枢動運動のために連結された少なくとも一個の他の区画とを含み、且つ、
前記ラックは前記シート区画に連結される、請求項１３記載の患者支持用装置。
【請求項１６】  前記シート区画は垂直面を有する縦方向延在フレーム部材を含み、且つ、
前記軌道は前記垂直面に連結される、請求項１５記載の患者支持用装置。
【請求項１７】  前記デッキ位置決めアセンブリはリニア軸受およびプラットフォームを含み、
前記リニア軸受は、第一部材と、該第一部材に対して摺動する第二部材とを含み、
前記第一部材は前記プラットフォームに連結され且つ前記第二部材は前記ラックに連結される、請求項１６記載の患者支持用装置。
【請求項１８】  基部と、
縦方向長さおよび横方向幅を有する患者支持用デッキと、
前記患者支持用デッキを前記基部に連結するデッキ位置決めアセンブリとを備え、
前記患者支持用デッキは前記デッキ位置決めアセンブリに関して縦方向移動すべく支持され、
前記デッキ位置決めアセンブリは、
横方向軸心の回りで回転すべく支持された螺条付シャフトと、
前記シャフトに連結されたピニオンと、
前記患者支持用デッキに連結されると共に前記ピニオンが係合するラックと、
前記螺条付シャフトに連結されたボールナットと、
前記ボールナットに連結されたアクチュエータであって、前記螺条付シャフトに沿って軸心方向に前記ボールナットを移動することで前記螺条付シャフトおよびピニオンを回転し、前記基部に対する前記患者支持用デッキの縦方向移動に帰着させるべく起動可能なアクチュエータと、
を備える、患者支持用装置。
【請求項１９】  前記デッキ位置決めアセンブリは前記ボールナットを前記線形アクチュエータに連結するキャリッジ・アセンブリを含み、
前記キャリッジ・アセンブリは、前記ボールナットに連結された第一部分と前記線形アクチュエータに連結された第二部分とを含む、請求項１８記載の患者支持用装置。
【請求項２０】  前記第二部分は、前記螺条付シャフトの前記横方向軸心と交差する縦軸心を有するピンにより前記第一部分に連結される、請求項１９記載の患者支持用装置。
【請求項２１】  前記デッキ位置決めアセンブリは軌道部材を含み、
前記キャリッジ・アセンブリは、前記ピン上に取付けられたローラであって前記軌道部材と係合するローラを含み、
前記ローラは前記ボールナットが前記螺条付シャフトに沿って軸心方向に移動するときに前記軌道部材に対して転動する、請求項２０記載の患者支持用装置。
【請求項２２】  前記デッキ位置決めアセンブリはスロットが形成された軌道部材を含み、
前記キャリッジ・アセンブリは前記第二部分に連結された第一ローラを含み、
前記第一ローラは前記スロット内に受容され、且つ、
前記第一ローラは前記ボールナットが前記螺条付シャフトに沿って軸心方向に移動するときに前記軌道部材に対して前記スロット内で転動する、請求項１９記載の患者支持用装置。
【請求項２３】  前記キャリッジ・アセンブリは第二プレートに連結された第二ローラであって前記第一ローラから横方向に離間された第二ローラを含み、
前記第二ローラは前記スロット内に受容され、且つ、
前記第二ローラは前記ボールナットが前記螺条付シャフトに沿って軸心方向に移動するときに前記軌道部材に対して前記スロット内で転動する、請求項２２記載の患者支持用装置。
【請求項２４】  前記軌道部材は頂部表面を含み、
前記キャリッジ・アセンブリは前記第二部分に連結された上側ローラを含み、
前記上側ローラは前記ボールナットが前記螺条付シャフトに沿って軸心方向に移動するときに前記頂部表面に沿って転動する、請求項２２記載の患者支持用装置。
【請求項２５】  前記アクチュエータは、前記螺条付シャフトの前記横方向軸心と平行な第二横方向軸心に沿って伸張かつ縮動する線形アクチュエータである、請求項１８記載の患者支持用装置。
【請求項２６】  前記線形アクチュエータは前記螺条付シャフトの下方に存すべく位置される、請求項２５記載の患者支持用装置。
【請求項２７】  基部と、
縦方向長さおよび横方向幅を有する患者支持用デッキと、
前記患者支持用デッキを前記基部に連結するデッキ位置決めアセンブリとを備え、
前記患者支持用デッキは前記デッキ位置決めアセンブリに関して縦方向移動すべく支持され、
前記デッキ位置決めアセンブリは、
横方向軸心の回りにおいて第一位置と第二位置との間で回転可能なシャフトと、
前記患者支持用デッキに連結されたラックと、
前記シャフトに連結された固定アセンブリと、を含み、
前記固定アセンブリは前記シャフトの回転に応じて移動する部材を含み、
前記部材は前記シャフトが前記第一位置に在るときに前記ラックと係合することで前記基部に対する前記患者支持用デッキの縦方向移動を防止し、且つ、
前記部材は前記シャフトが前記第二位置に在るときに前記ラックから係合解除されることで前記基部に対する前記患者支持用デッキの縦方向移動を許容する、
患者支持用装置。
【請求項２８】  前記デッキ位置決めアセンブリは前記第一および第二位置の間で前記シャフトを移動するアクチュエータを含み、請求項２７記載の患者支持用装置。
【請求項２９】  前記アクチュエータは電気ソレノイドである、請求項２８記載の患者支持用装置。
【請求項３０】  当該患者支持用装置は、前記デッキ位置決めアセンブリに連結されると共に前記患者支持用デッキの少なくとも一部の位置を検知すべく配置構成された角度センサを更に備え、
前記角度センサは、前記患者支持用デッキの前記一部が非水平位置に在るときに、前記アクチュエータが前記シャフトを前記第一位置から移動するのを防止する信号を生成する、請求項２９記載の患者支持用装置。
【請求項３１】  前記固定アセンブリは前記シャフトに連結されたカムであって該シャフトと共に回転するカムを含み、
前記カムは、前記部材と係合すると共に、前記シャフトが回転する間は前記部材を移動する、請求項２７記載の患者支持用装置。
【請求項３２】  前記固定アセンブリは前記部材を付勢して前記カムと接触させるべく配置されたスプリングを含む、請求項３１記載の患者支持用装置。
【請求項３３】  前記部材は、前記横方向軸心の回りで前記カムおよびシャフトが回転する間に縦軸心の回りで枢動する、請求項３１記載の患者支持用装置。
【請求項３４】  前記部材は爪部である、請求項２７記載の患者支持用装置。
【請求項３５】  前記ラックは複数の歯部を含み、且つ、
前記爪部は前記複数の歯部の一個以上と係合すべく配置構成される、請求項３４記載の患者支持用装置。
【請求項３６】  前記爪部は、前記横方向軸心の回りで前記シャフトが回転する間に縦軸心の回りで枢動する、請求項３４記載の患者支持用装置。
【請求項３７】  基部と、
縦方向長さおよび横方向幅を有する患者支持用デッキと、
前記患者支持用デッキを前記基部に連結するデッキ位置決めアセンブリとを備え、
前記患者支持用デッキは前記デッキ位置決めアセンブリに関して縦方向移動すべく支持され、
前記デッキ位置決めアセンブリは、前記基部に対する前記患者支持用デッキの縦方向移動を防止する第一位置と、前記基部に対する前記患者支持用デッキの縦方向移動を許容する第二位置との間で移動可能な部材を含み、
前記固定アセンブリは更に、前記第一位置と前記第二位置との間で前記部材を移動すべく横方向軸心の回りで回転可能なシャフトを含む、
患者支持用装置。
【請求項３８】  前記デッキ位置決めアセンブリは前記横方向軸心の回りで前記シャフトを回転するアクチュエータを含む、請求項３７記載の患者支持用装置。
【請求項３９】  前記アクチュエータは電気ソレノイドである、請求項３８記載の患者支持用装置。
【請求項４０】  当該患者支持用装置は、前記デッキ位置決めアセンブリに連結されると共に前記患者支持用デッキの少なくとも一部の位置を検知すべく配置構成された角度センサを更に備え、
前記角度センサは、前記患者支持用デッキの前記一部が非水平位置に在るときに、前記シャフトが前記部材を前記第一位置から移動するのを防止すべく前記アクチュエータを無効化する信号を生成する、請求項３９記載の患者支持用装置。
【請求項４１】  前記固定アセンブリは前記シャフトに連結されたカムであって該シャフトと共に回転するカムを含み、
前記カムは、前記部材と係合すると共に、前記シャフトが回転する間は前記部材を移動する、請求項３７記載の患者支持用装置。
【請求項４２】  前記固定アセンブリは前記部材を付勢して前記カムと接触させるべく配置されたスプリングを含む、請求項４１記載の患者支持用装置。
【請求項４３】  前記部材は、前記横方向軸心の回りで前記カムおよびシャフトが回転する間に縦軸心の回りで枢動する、請求項４２記載の患者支持用装置。